(57)【特許請求の範囲】
【請求項１】
所定の周波数で磁界を発生させる磁界発生装置であって、
電源を有する電源部と、前記電源部を制御する制御部と、前記電源部から電流が供給されたときに前記所定の周波数の磁界を発生させる磁界発生部と、を有し、
前記電源部は、前記磁界発生部に流れる電流の抵抗となる抵抗を有し、前記抵抗の抵抗値は、２〜１５ｋΩとすることを特徴とする磁界発生装置。
【請求項２】
前記電源部は、
正極の電流が流れる第１の電路を形成するとともに、
負極の電流が流れる第２の電路を形成することを特徴とする請求項１に記載の磁界発生装置。
【請求項３】
前記制御部は、前記電流の極性を制御する極性制御部と、前記電流の周波数を制御する周波数制御部と、を有することを特徴とする請求項１に記載の磁界発生装置。
【請求項４】
前記磁界発生部は、所定のコイルにより構成することを特徴とする請求項１に記載の磁界発生装置。
【請求項５】
前記コイルは平面コイルとすることを特徴とする請求項４に記載の磁界発生装置。
【請求項６】
前記平面コイルは、渦巻きコイルとし、前記渦巻きコイルは、渦巻き状に巻き回された電線により構成される渦巻き部を有することを特徴とする請求項５に記載の磁界発生装置。
【請求項７】
前記渦巻き部は、スカラー波を発生させることを特徴とする請求項６に記載の磁界発生装置。
【請求項８】
前記制御部は、所定の情報端末装置から前記電源部の制御を行うための所定の制御情報を入力する入力部を有することを特徴とする請求項１に記載の磁界発生装置。
【請求項９】
前記制御部は、所定の情報端末装置から前記電源部の制御を行うための所定の制御情報を入力する入力部を有し、前記入力部が入力する所定の情報は、前記極性制御部が前記電流の極性を制御するための情報、および前記周波数制御部が前記周波数を制御するための情報を含むことを特徴とする請求項３に記載の磁界発生装置。
【請求項１０】
前記磁界発生部により発生した所定の周波数の磁界を照射対象物に照射することを特徴とする請求項１に記載の磁界発生装置。
【請求項１１】
前記照射対象物は、液体を含むことを特徴とする請求項１０に記載の磁界発生装置。
【請求項１２】
前記液体は、水を含むことを特徴とする請求項１１に記載の磁界発生装置。
【請求項１３】
前記情報端末装置は、前記所定の制御情報を前記制御部に出力する出力部を有することを特徴とする請求項８に記載の磁界発生装置。
【請求項１４】
請求項１〜請求項１３のいずれか一項に記載の磁界発生装置と、前記電源部の制御を行うための所定の制御情報を出力する出力部を有する情報端末装置と、を有することを特徴とする磁界発生システム。
【請求項１５】
請求項１〜請求項１３のいずれか一項に記載の磁界発生装置により発生した所定の周波数の磁界を照射対象物に照射して前記磁界に照射された照射対象物を生産することを特徴とする照射対象物の生産方法。
【請求項１６】
前記照射対象物は、液体を含むことを特徴とする請求項１５に記載の生産方法。
【請求項１７】
前記液体は、水を含むことを特徴とする請求項１６に記載の生産方法。
【請求項１８】
請求項１〜請求項１３のいずれか一項に記載の磁界発生装置により発生した所定の周波数の磁界を照射して生産することを特徴する照射対象物。
【請求項１９】
請求項１〜請求項１３のいずれか一項に記載の磁界発生装置により発生した所定の周波数の磁界を照射して生産することを特徴する液体。
【請求項２０】
請求項１〜請求項１３のいずれか一項に記載の磁界発生装置により発生した所定の周波数の磁界を照射して生産することを特徴する水。
【請求項２１】
請求項２０に記載の水を用いて加湿することを特徴とする加湿器。
【請求項２２】
請求項２０に記載の水を用いて加湿することを特徴とする加湿方法。
【請求項２３】
所定の周波数で磁界を発生させる磁界発生装置のコンピュータを、
所定の電源を有し、かつ、前記電源を有する電源部から電流が供給されたときに前記所定の周波数の磁界を発生させる磁界発生部に流れる電流の抵抗となる抵抗の抵抗値を２〜１５ｋΩとする前記電源部を制御する制御部として機能させることを特徴とするプログラム。
【請求項２４】
請求項２３に記載のプログラムを記憶することを特徴とするコンピュータが読み取り可能な記憶媒体。
【発明の詳細な説明】
【技術分野】
【０００１】
本発明は、磁界発生装置、磁界発生システム、照射対象物の生産方法、照射対象物、液体、水、加湿器、加湿方法、プログラム、コンピュータが読み取り可能な記憶媒体に関する。
【背景技術】
【０００２】
近年、健康志向がますます高まっており、例えば、特許文献１には凹凸の表面を有する健康器具が開示されている。
【先行技術文献】
【特許文献】
【０００３】
【特許文献１】特開２０２０−３１９０７号公報
【発明の概要】
【発明が解決しようとする課題】
【０００４】
ところで、近年は、疾患に対する治療や予防の観点から所定の周波数の磁界を照射した水等の照射対象物に対する需要が増えてきている。
【０００５】
本発明は上記事情に鑑みてなされたものであり、所定の周波数の磁界を発生させることができる磁界発生装置、磁界発生システム、照射対象物の生産方法、照射対象物、液体、水、加湿器、加湿方法、プログラム、コンピュータが読み取り可能な記憶媒体を提供することを目的とする。
【課題を解決するための手段】
【０００６】
上記目的を達成するために、本発明の磁界発生装置は、所定の周波数で磁界を発生させる磁界発生装置であって、前記所定の周波数の磁界を発生させる発生部を有することを特徴とする。
【０００７】
前記所定の周波数の磁界は、パルス電流を繰り返し生成することにより発生させることができる。
【０００８】
前記パルス電流は、正極のパルス電流、負極のパルス電流、および前記正極のパルス電流と前記負極のパルス電流が交互に繰り返し生成される両極性のパルス電流の少なくともいずれかとすることができる。
【０００９】
前記磁界発生部により発生した所定の周波数の磁界を照射対象物に照射することとすれば、所定の磁界に照射された照射対象物を提供することができる。
【００１０】
前記照射対象物は、液体を含むことができ、前記液体は、水を含むことができる。
【００１１】
上記目的を達成するために、本発明の磁界発生装置は、所定の周波数で磁界を発生させる磁界発生装置であって、所定の電源を有する電源部と、前記電源部を制御する制御部と、前記電源部から電流が供給されたときに前記所定の周波数の磁界を発生させる磁界発生部とを有することを特徴とする。
【００１２】
本発明によれば、上記構成の電源部、制御部、磁界発生部により、所定の周波数の磁界を発生させることができる。
【００１３】
前記電源部は、正極の電流が流れる第１の電路を形成するとともに、負極の電流が流れる第２の電路を形成することができる。
【００１４】
前記電源部は、抵抗を有し、前記抵抗の抵抗値は、２〜１５ｋΩとすることとすれば、人体と同程度の抵抗値に設定することができる。
【００１５】
前記制御部は、前記電流の極性を制御する極性制御部と、前記電流の周波数を制御する周波数制御部とを有することとすれば、電流の極性の制御、および電流の周波数の制御を行うことができる。
【００１６】
前記極性制御部は、前記電流の極性を正極とする制御である第１の極性制御、前記電流の極性を負極とする制御である第２の極性制御、および前記正極および負極の電流を含む両極性の電流を生成する制御である第３の極性制御の少なくともいずれかを行うことができる。
【００１７】
前記周波数制御部は、パルス電流を繰り返して生成し、前記パルス電流の周波数を制御して前記磁界発生部における磁界の周波数を所定の周波数とすることができる。
【００１８】
すなわち、前記周波数制御部は、前記第１の極性制御において、正極のパルス電流を繰り返して生成する制御である第１の周波数制御、前記第２の極性制御において、負極のパルス電流を繰り返して生成する制御である第２の周波数制御し、および前記第３の極性制御において、前記正極のパルス電流および前記負極のパルス電流を交互に繰り返して両極性のパルス電流を生成する制御である第３の周波数制御の少なくともいずれかを行うことにより、前記パルス電流の周波数を制御して前記磁界発生部における磁界の周波数を所定の周波数とすることができる。
【００１９】
前記磁界発生部に印加する電圧を制御する電圧制御部を有することとすれば、磁界発生部における周波数の強度を制御することができる。
【００２０】
前記電圧制御部は、低周波数領域において前記磁界発生部に印加する電圧を制御することができる。
【００２１】
前記磁界発生部は、所定のコイルにより構成することができ、前記コイルは平面コイルとすることができる。前記平面コイルは、渦巻きコイルとし、前記渦巻きコイルは、渦巻き状に巻き回された電線により構成される渦巻き部を有することができる。
【００２２】
前記渦巻き部は、表面側および裏面側の面を有し、前記表面側および前記裏面側のいずれかの一方の面に前記いずれかの一方の面から発生する磁界の磁束を弱めて前記表面側および前記裏面側のいずれか他方の面から発生する磁界の磁束を強くするための部材を設けることができる。
【００２３】
前記部材は板状とし、磁性体を含んで構成されることができる。
前記磁性体は、セラミックスとし、前記セラミックスは、フェライトとすることができる。すなわち、フェライトを含んだ部材を渦巻き部の表面側および裏面側のいずれかの一方の面に設けることで、確実に表面側および裏面側のいずれかの一方の面から発生する磁界の磁束を弱めて表面側および裏面側のいずれか他方の面から発生する磁界の磁束を強くすることができる。
【００２４】
前記渦巻き部は、前記電線を外側から中心側に向かって渦巻き状に巻き回して構成されるとともに、前記外側から前記中心側に向かう前記電線の巻き回し方向を右巻きとすることとすれば、電線の巻き回し方向を、生体エネルギーを引き出す方向とすることができる。
【００２５】
前記渦巻き部は、スカラー波を発生させることができる。
すなわち、前記渦巻き部は、前記電線を外側から中心側に向かって渦巻き状に巻き回して構成される第１の巻き回し部と、前記電線を前記第１の巻き回し部の中心側の端部から外側に向かって渦巻き状に巻き回して構成される第２の巻き回し部を有し、前記第１の巻き回し部と前記第２の巻き回し部は、前記電流が流れる向きが相互に反対向きとすることができる。
【００２６】
前記第１の巻き回し部は、前記電線を外側から中心側に向かって所定の間隔をおいて巻き回し状に巻き回して構成されるとともに、前記第２の巻き回し部は、前記第１の巻き回し部の中心側の端部と連続し、前記電線を前記第１の巻き回し部の中心側の端部から外側に向かって前記第１の巻き回し部の間隔内において渦巻き状に巻き回して構成されることができる。
【００２７】
前記入力部が入力する所定の情報は、前記極性制御部が前記電流の極性を制御するための情報、および前記周波数制御部が前記周波数を制御するための情報を含むこととすれば、情報端末装置からの制御情報により電流の極性の制御、周波数の制御を行うことができる。
【００２８】
前記磁界発生部により発生した所定の周波数の磁界を照射対象物に照射することとすれば、所定の磁界に照射された照射対象物を提供することができる。
【００２９】
前記照射対象物は、液体を含むことができ、前記液体は、水を含むことができる。
前記制御部は、所定の情報端末装置から前記電源部の制御を行うための所定の制御情報を入力する入力部を有することとすれば、所定の情報端末装置からの制御情報により電源部の制御を行うことができる。
【００３０】
前記情報端末装置は、前記所定の制御情報を前記制御部に出力する出力部を有することができる。
【００３１】
上記目的を達成するために、本発明の磁界発生システムは、上記の磁界発生装置と、前記電源部の制御を行うための所定の制御情報を出力する出力部を有する情報端末装置と、を有することを特徴とする。
【００３２】
上記目的を達成するために、本発明の生産方法は、上記の磁界発生装置により発生した所定の周波数の磁界を照射対象物に照射して前記磁界に照射された照射対象物を生産することを特徴とする。
【００３３】
前記照射対象物は、液体とすることができ、前記液体は、水とすることができる。
【００３４】
上記目的を達成するために、本発明の照射対象物は、上記の磁界発生装置により発生した所定の周波数の磁界を照射して生産することを特徴する。
【００３５】
上記目的を達成するために、本発明の液体は、上記の磁界発生装置により発生した所定の周波数の磁界を照射して生産することを特徴する。
【００３６】
上記目的を達成するために、本発明の水は、上記の磁界発生装置により発生した所定の周波数の磁界を照射して生産することができる。
【００３７】
上記目的を達成するために、本発明の加湿器は、上記水を用いて加湿することを特徴とする。
【００３８】
上記目的を達成するために、本発明の加湿方法は、上記水を用いて加湿することを特徴とする。
【００３９】
上記目的を達成するために、本発明のプログラムは、所定の周波数で磁界を発生させる磁界発生装置のコンピュータを、前記所定の周波数の磁界を発生させる発生部として機能させることを特徴とする。
【００４０】
上記目的を達成するために、本発明のプログラムは、所定の周波数で磁界を発生させる磁界発生装置のコンピュータを、所定の電源を有する電源部を制御する制御部として機能させることを特徴とする。
【００４１】
上記目的を達成するために、本発明のプログラムは、所定の周波数で磁界を発生させる磁界発生装置における所定の電源を有する電源部を制御する制御部に制御情報を出力する情報端末装置のコンピュータを、前記所定の制御情報を前記制御部に出力する出力部として機能させることを特徴とする。
【００４２】
上記目的を達成するために、本発明のコンピュータが読み取り可能な記憶媒体は、上記のプログラムを記憶することを特徴とする。
【発明の効果】
【００４３】
本発明によれば、所定の周波数の磁界を発生させることができる。
【図面の簡単な説明】
【００４４】
【図１】本発明の実施形態に係る磁界発生装置の全体構成の概要を示す図である。
【図２】磁界発生装置において発生した磁界を示す斜視図である。
【図３】磁界発生装置の電源部の電気回路を示す回路図である。
【図４】電源部における第１の電路を示す回路図である。
【図５】電源部における第２の電路を示す回路図である。
【図６】制御部の構成を示すブロック図である。
【図７】磁界発生装置の制御部のコンピュータの構成を示すブロック図である。
【図８】制御部における第１の周波数制御を説明するための図で、（ａ）は第１のスイッチおよび第２のスイッチの動作を示す図、（ｂ）は第３のスイッチおよび第４のスイッチの動作を示す図、（ｃ）は電流の周波数を示す図である。
【図９】制御部における第２の周波数制御を説明するための図で、（ａ）は第１のスイッチおよび第２のスイッチの動作を示す図、（ｂ）は第３のスイッチおよび第４のスイッチの動作を示す図、（ｃ）は電流の周波数を示す図である。
【図１０】制御部における第３の周波数制御を説明するための図で、（ａ）は第１のスイッチおよび第２のスイッチの動作を示す図、（ｂ）は第３のスイッチおよび第４のスイッチの動作を示す図、（ｃ）は電流の周波数を示す図である。
【図１１】磁界発生部の構成を示す図で、（ａ）は平面図、（ｂ）は（ａ）のＡＡ側面断面図、（ｃ）は（ｂ）のＢＢ平面断面図である。
【図１２】磁界発生装置に制御情報を出力する情報端末装置の構成を示すブロック図である。
【図１３】情報端末装置のコンピュータの構成を示すブロック図である。
【図１４】磁界発生装置における磁界発生方法を説明するためのフローチャートである。
【図１５】本発明の変形例を示す図である。
【図１６】本発明の変形例の磁界発生部の構成を示す図で、（ａ）は平面図、（ｂ）は（ａ）のＡＡ側面断面図、（ｃ）は（ｂ）のＢＢ平面断面図である。
【図１７】本発明の応用例に係る加湿器の構成を模式的に示す図である。
【発明を実施するための形態】
【００４５】
以下、本発明の実施形態について図面を参照して詳細に説明する。図１は、本発明の実施形態に係る磁界発生装置の全体構成の概要を示す図、図２は、磁界発生装置において発生した磁界を示す斜視図、図３は、磁界発生装置の電源部の電気回路を示す回路図、図４は、電源部における第１の電路を示す回路図、図５は、電源部における第２の電路を示す回路図、図６は、制御部の構成を示すブロック図、図７は、磁界発生装置の制御部のコンピュータの構成を示すブロック図、図８は、制御部における第１の周波数制御を説明するための図、図９は、制御部における第２の周波数制御を説明するための図、図１０は、制御部における第３の周波数制御を説明するための図、図１１は、磁界発生部の構成を示す図、図１２は、磁界発生装置に制御情報を出力する情報端末装置の構成を示すブロック図、図１３は、情報端末装置のコンピュータの構成を示すブロック図である。なお、以下の説明においては、収納部３４において載置部３５がある方向を上方、その反対側を下方とするものとし、各方向は図においても明示するものとする。
【００４６】
図１および図２を参照して本発明の実施形態に係る磁界発生装置１の概要を説明すると、磁界発生装置１は、所定の周波数で磁界を発生させる装置であって、電源制御部２と磁界発生部３０を有し、磁界発生部３０により発生した所定の周波数の磁界を照射対象物Ｍに照射する構成となっている。つまり、磁界発生装置１は、所定の周波数の磁界を照射対象物Ｍに照射する磁界照射装置として機能するものである。
【００４７】
磁界発生装置１には、情報端末装置５０から無線または有線の通信により所定の制御情報が送られる。情報端末装置５０は、例えば、パーソナルコンピュータ、携帯電話機、スマートフォン、タブレット端末等の携帯端末装置１が用いられる。情報端末装置５０は、例えば、ブルートゥース（登録商標）等の近距離無線方式により磁界発生装置１と通信することができる。また、情報端末装置５０は、基地局および制御局を介して磁界発生装置１と通信することもできる。本実施形態の磁界発生装置１と情報端末装置５０により磁界発生システム１Ａを構成することができる。情報端末装置５０は、磁界発生装置１のコントローラとして機能するものである。 利用者端末装置３は、営業用車両６を利用する利用者が有しており、例えば、携帯電話機、スマートフォン、タブレット端末等の携帯端末装置が用いられる。利用者端末装置３は、基地局および制御局を介してネットワーク通信回線９に接続される。
【００４８】
ここで、本実施形態においては、照射対象物Ｍは、磁界発生装置１により発生する所定の周波数の磁界が照射される対象であって、少なくとも水を含むことができ、水の他にも固体、液体、気体、生体（人体、動物、植物等）等各種の照射対象物Ｍを含むことができる。すなわち、磁界発生装置１により発生した所定の周波数の磁界を照射対象物Ｍに照射することにより磁界を照射され磁界に晒された水等の液体を含む照射対象物Ｍを生産することができ、同生産方法を実施することにより、磁界発生装置１により発生した所定の周波数の磁界を照射し磁界に晒して生産される水等の液体を含む照射対象物Ｍを提供することができる。磁界を照射された水は特に波動水または磁化水、更には情報水と呼ばれる。
【００４９】
上記の電源制御部２は、電源部１０、制御部２０を有している。電源制御部２は、磁界発生装置１の本体をなすものであり、軽量および／または小型化された構成で持ち運びに適したものとなっている。電源制御部２は、パルス発生器として機能するものである。
【００５０】
すなわち、電源部１０は、図３に示すように、電源１０ａ、第１の電線１１、第２の電線１２、第３の電線１３、第４の電線１４、第１のスイッチ１１ａ、第２のスイッチ１２ａ、第３のスイッチ１３ａ、第４のスイッチ１４ａ、抵抗１６、電圧制御回路１７を有している。
【００５１】
電源１０ａは、磁界発生部３０に電流を供給するためのものである。電源１０ａは、電圧を最大１６Ｖとして直流電流を供給することができる。電源１０ａは、例えば充電可能なリチウムイオン電池やアルカリ電池とすることができる。電源１０ａは、一例としてリチウムイオン単三電池４個を搭載して構成することができ、磁界発生部３０に対し１６Ｖまでの出力を可能にしている。
【００５２】
第１の電線１１は、電源１０ａにおけるプラス側１０ａ１すなわち電流の出力側１０ａ１と磁界発生部３０における第１の接続３２とを電気的に接続する電線である。
【００５３】
第２の電線１２は、電源１０ａにおけるマイナス側１０ａ２すなわち電流の入力側１０ａ２と磁界発生部３０における第２の接続３３とを電気的に接続する電線である。
【００５４】
第３の電線１３は、第１の電線１１の中間部と第２の電線１２の中間部とを電気的に接続する電線である。第３の電線１３は、第１の電線１１における電源１０ａの出力側１０ａ１と第１のスイッチ１１ａとの間と、第２の電線１２における第２のスイッチ１２ａと磁界発生部３０の第２の接続３３との間と、を接続する電線である。
【００５５】
第４の電線１４は、第１の電線１１の中間部と第２の電線１２の中間部とを電気的に接続する電線である。第４の電線１４は、第１の電線１１における第１のスイッチ１１ａと磁界発生部３０の第１の接続３２との間と、第２の電線１２における電源１０ａの入力側１０ａ２と第２のスイッチ１２ａとの間と、を接続する電線である。
【００５６】
なお、本実施形態にあっては、第１の電線１１と第３の電線１３とが接続する接続点を第１の接続点Ａ、第１の電線１１と第４の電線１４とが接続する接続点を第２の接続点Ｂ、第２の電線１２と第３の電線１３とが接続する接続点を第３の接続点Ｃ、第２の電線１２と第４の電線１４とが接続する接続点を第４の接続点Ｄとしている。
【００５７】
第１のスイッチ１１ａは、第１の電線１１における第１の接続点Ａと第２の接続点Ｂとの間に設けられており、第１の電線１１のオンオフを行うことができる。
【００５８】
第２のスイッチ１２ａは、第２の電線１２における第３の接続点Ｃと第４の接続点Ｄとの間に設けられており、第２の電線１２をオンオフすることができる。
【００５９】
第３のスイッチ１３ａは、第３の電線１３に設けられている。第３のスイッチ１３ａは、第３の電線１３をオンオフすることができる。
【００６０】
第４のスイッチ１４ａは、第４の電線１４ａに設けられている。第４のスイッチ１４ａは、第４の電線１４をオンオフすることができる。第１のスイッチ１１ａ乃至第４のスイッチ１４ａは、例えば、接点スイッチ、スイッチングトランジスタ等のスイッチング素子とすることができ、この他、電気的な接続のオンオフが可能な各種のスイッチを採用することができる。
【００６１】
抵抗１６は、磁界発生部３０に流れる電流の抵抗となるものである。抵抗１６の抵抗値は、２〜１５ｋΩに設定より好ましくは５〜１０ｋΩに設定されている。抵抗１６の抵抗値は、人体の抵抗値と同程度に設定されている。
【００６２】
電圧制御回路１７は、磁界発生部３０に印加する電圧を制御する機能を有している。電圧制御回路１７により、磁界発生部３０に印加される電圧は、０〜１６Ｖの間で任意に変更することができる。
【００６３】
ここで、電源部１０は、図４に示すように、第１のスイッチ１１ａおよび第２のスイッチ１２ａをオンとし、第３のスイッチ１３ａおよび第４のスイッチ１４ａをオフとしたときに、電源１０ａの出力側１０ａ１、第１の電線１１、磁界発生部３０の第１の接続３２、磁界発生部３０の第２の接続３３、第２の電線１２、電源１０ａの入力側１０ａ２に至る正極の電流が流れる第１の電路１０Ａ１を形成することができる。
【００６４】
また、電源部１０は、図５に示すように、第３のスイッチ１３ａおよび第４のスイッチ１４ａをオンとし、第１のスイッチ１１ａおよび第２のスイッチ１２ａをオフとしたときに、電源１０の出力側１０ａ１、第１の接続点Ａ、第３の電線１３、第３の接続点Ｃ、磁界発生部３０の第２の接続３３、磁界発生部３０の第１の接続３２、第２の接続点Ｂ、第４の電線１４、第４の接続点Ｄ、電源１０ａの入力側１０ａ２に至る負極の電流が流れる第２の電路１０Ａ２を形成することができる。
【００６５】
制御部２０は、電源部１０を制御するための制御信号を生成し出力することができる。制御部２０は、図６に示すように、入力部２１、極性制御部２３、周波数制御部２４、電圧制御部２５を有している。
【００６６】
制御部２０は、コンピュータとしての一般的な構成を備えている。制御部２０は、図７に示すように、相互にバス２０Ａを介して接続された中央処理装置（ＣＰＵ、ＧＰＵ、ＤＳＰ）２０Ｂ、記憶装置（ＲＯＭ、ＲＡＭ、ハードディスク、キャッシュメモリ）２０Ｃ、入力装置（キーボード、タッチパネル、入力インターフェース、入力ポート）２０Ｄ、表示装置（液晶ディスプレー）２０Ｅ等を有している。記憶装置２０Ｃは、コンピュータが読み取り可能な記憶媒体として機能する。記憶装置２０Ｃには、プログラム１００が記憶されている。プログラム１００を実行させることにより、制御部２０の各部２１〜２４を機能させることができる。すなわち、プログラム１００は、制御部２０のコンピュータを、入力部２１、極性制御部２３、周波数制御部２４、電圧制御部２５として機能させることができる。
【００６７】
入力部２１は、情報端末装置５０から制御部２０が電源部１０の制御を行うための所定の制御情報を入力することができる。入力部２１は、ブルートゥース（登録商標）方式で情報端末装置５０の出力部５５と通信可能な受信回路を備えており、情報端末装置５０の出力部５５からの制御情報を無線にて受信し入力することができる。入力部２１は、情報端末装置５０の出力部５５と通信を行うことができる通信部として機能する。
【００６８】
極性制御部２３は、入力部２１が入力した制御情報に基づいて制御信号を生成して出力し、第１の極性制御、第２の極性制御、第３の極性制御を行うことができる。
【００６９】
第１の極性制御は、第１のスイッチ１１ａおよび第２のスイッチ１２ａをオンとし、第３のスイッチ１３ａおよび第４のスイッチ１４ａをオフとすることにより、第１の電路１０Ａ１を選択して電流の極性を正極とする制御である。
【００７０】
第２の極性制御は、第３のスイッチ１３ａおよび第４のスイッチ１４ａをオンとし、第１のスイッチ１１ａおよび第２のスイッチ１２ａをオフとすることにより、第２の電路１０Ａ２を選択して電流の極性を負極とする制御である。
【００７１】
第３の極性制御は、第１のスイッチ１１ａおよび第２のスイッチ１２ａをオンとし、第３のスイッチ１３ａおよび第４のスイッチ１４ａをオフとする第１の電路１０Ａ１と第３のスイッチ１３ａおよび第４のスイッチ１４ａをオンとし、第１のスイッチ１１ａおよび第２のスイッチ１２ａをオフとする第２の電路１０Ａ２のいずれも選択し正極および負極の電流を含む両極性の電流を生成する制御である。
【００７２】
周波数制御部２４は、入力部２１が入力した制御情報に基づいて制御信号を生成して出力し、パルス電流のオン時間およびオフ時間を制御することにより周波数を任意に制御することができる。
【００７３】
すなわち、周波数制御部２４は、制御信号を生成して出力し、図８〜図１０に示すように、所定の時間間隔で極性制御部２３が第１のスイッチ１１ａおよび第２のスイッチ１２ａのオンオフおよび／または第３のスイッチ１３ａおよび第４のスイッチ１４ａのオンオフを繰り返し行うよう制御してパルス電流を繰り返して生成するとともに、生成した制御信号にしたがって前記時間間隔を所定に設定しパルス電流の周波数が所定の周波数となるように制御することができる。これにより、磁界発生部３０における磁界の周波数が所定の周波数となるように制御することができる。
【００７４】
すなわち、周波数制御部２４は、制御信号を生成して出力し、第１の周波数制御、第２の周波数制御、第３の周波数制御を行うことができる。
【００７５】
つまり、第１の周波数制御は、図８に示すように、第１の極性制御において、第３のスイッチ１３ａおよび第４のスイッチ１４ａをオフとした状態で、所定の時間間隔で極性制御部２３が第１のスイッチ１１ａおよび第２のスイッチ１２ａのオンオフを同期させて繰り返し行うように制御して正極のパルス電流を繰り返して生成するとともに、生成した制御信号にしたがって前記時間間隔を所定に設定し正極側でパルス電流の周波数が所定の周波数となるように制御することができる。
【００７６】
第２の周波数制御は、図９に示すように、第２の極性制御において、第１のスイッチ１１ａおよび第２のスイッチ１２ａをオフとした状態で、所定の時間間隔で極性制御部２３が第３のスイッチ１３ａおよび第４のスイッチ１４ａのオンオフを繰り返し行うように制御して負極のパルス電流を繰り返して生成するとともに、生成した制御信号にしたがって前記時間間隔を所定に設定し負極側でパルス電流の周波数が所定の周波数となるように制御することができる。
【００７７】
第３の周波数制御は、図１０に示すように、第３の極性制御において、第１のスイッチ１１ａおよび第２のスイッチ１２ａをオンとし、第３のスイッチ１３ａおよび第４のスイッチ１４ａをオフとする第１の電路１０Ａ１と第３のスイッチ１３ａおよび第４のスイッチ１４ａをオンとし、第１のスイッチ１１ａおよび第２のスイッチ１２ａをオフとする第２の電路１０Ａ２を所定の時間間隔で交互に繰り返し選択し正極のパルス電流および負極のパルス電流を交互に繰り返して反転させながら両極性のパルス電流を生成するとともに、生成した制御信号にしたがって前記時間間隔を所定に設定し両極性のパルス電流の周波数が所定の周波数となるように制御することができる。第３の周波数制御においては、第１の電路１０Ａ１がオフのときは第２の電路１０Ａ２がオンとなり、第２の電路１０Ａ２がオフのときには、第１の電路１０Ａ１がオンとなるスイッチィング制御が行われる。つまり、第３の周波数制御においては、パルス電流が常時オンとなる制御を行うことが可能となる（オフとなるのは正極と負極が切り換わる瞬間のみである）。
【００７８】
なお、本実施形態にあっては、周波数領域は、低周波数領域、中周波数領域、高周波数領域があり、周波数制御部２４は、第１の周波数制御乃至第３の周波数制御の各周波数制御において、低周波数領域（典型的には１０Ｈｚ〜１ｋＨｚ）、中周波数領域（典型的には１ｋＨｚ〜１０ｋＨｚ）、高周波数領域（典型的には１０ｋＨｚ〜１０００ｋＨｚ）の各周波数領域において、生成した制御信号にしたがって前記時間間隔を所定に設定してパルス電流の周波数が所定の周波数となるように制御することができる。
【００７９】
電圧制御部２５は、入力部２１が入力した制御情報に基づいて制御信号を生成して出力し、磁界発生部３０に印加する電圧（周波数の強度）が所定の電圧値（所定の周波数の強度）となるように制御することができる。電圧制御部２５は、制御信号にしたがって所定の周波数領域においてのみより詳しくは低周波数領域（典型的には１０Ｈｚ〜１ｋＨｚ）においてのみ磁界発生部３０に印加する電圧（周波数の強度）が所定の電圧値（所定の周波数の強度）となるように制御することができる。一方。中周波数領域および高周波数領域では、磁界発生部３０に印加する電圧は固定された電圧値（１６Ｖ）とし該印加する電圧を変更する制御は行われない。
【００８０】
なお、電源制御部２は、ＬＥＤランプを有しており、制御部２０は、周波数制御部２４による周波数の制御および／または電圧の制御が行われているときに、ＬＥＤランプを発光させるための制御信号を生成し出力することができる。
【００８１】
磁界発生部３０は、電源制御部２とケーブル２´を介して電気的に接続されている。磁界発生部３０は、図１１に示すように、所定のコイル３１により構成することができ、コイル３１は平面コイル３１とすることができる。
【００８２】
平面コイル３１は、渦巻きコイルとし、渦巻きコイルは、渦巻き状に巻き回された電線３１´により構成される渦巻き部３１ａと、渦巻き部３１ａの端部となる第１の接続３２および第２の接続３３と、を有している。第１の接続３２は、電源部１０の第１の電線１１と接続し、第２の接続３３は、第２の電線１２と接続する。第１の接続３２は、渦巻き部３１ａの下部側から導入され、第２の接続３３は、渦巻き部３１ａの上部側から導出される。
【００８３】
渦巻き部３１ａは、電線３１´を外側から中心側に向かって渦巻き状に巻き回して構成されるとともに、上方から見て外側から中心側に向かう電線３１´の巻き回し方向を右巻きとした螺旋構造とすることができる（言い換えると、上方から見て中心側から外側に向かう電線３１´の巻き回し方向を左巻きとした螺旋構造とすることができる）。渦巻き部３１ａを構成する電線３１´は、銅線とすることができる。渦巻き部３１ａに電流が流れることにより右ねじの法則により磁界が発生する。発生する磁界の範囲は、電源１０ａの電圧を１６Ｖとしたとき、上方を含め周囲３〜４ｃｍ程度となる。渦巻き部３１ａにおける電線３１´の巻き回し数は、例えば渦巻き部３１ａの直径を４ｃｍ程度としたときは、９〜１３巻きとすることが好ましく、１０〜１２巻きとすることが更に好ましく、１１巻きとすることが更に一層好ましい。渦巻き部３１ａは、ドーナツ状となっており、ドーナツ状の中央部は、巻き回された電線３１´のない円形の領域３１ｂとなっている。数１に示す円形の領域の面積αの渦巻き部３１ａの電線３１が巻き回される領域（ドーナツ状の部分）の面積βに対する比Ｘは、０．１〜０．４とすることが好ましく、０．１５〜０．３５とすることが更に好ましく、０．２〜０．３とすることが更に一層好ましい。更に数２に示す巻き回し数λの渦巻き部３１ａの電線３１が巻き回される領域（ドーナツ状の部分）の面積βに対する比Ｙは、１０００〜１０００００（巻き回し数／ｍ２）とすることが好ましく、３０００〜６００００（巻き回し数／ｍ２）とすることが更に好ましく、５０００〜２００００（巻き回し数／ｍ２）とすることが更に一層好ましい。
[数１]
Ｘ＝α／β
[数２]
Ｙ＝λ／β
渦巻き部３１ａにより発生する磁界の方向は、第３の周波数制御においては、正極のパルス電流と負極のパルス電流では相互に反転することとなる。
【００８４】
このように構成された渦巻き部３１ａの裏面側（下面側）には、裏面側から発生する磁界の磁束を弱めて表面側（上面側）から発生する磁界の磁束を強くするための部材３１ｃが設けられている。
【００８５】
この部材３１ｃは板状としており、磁性体を含んで構成されている。磁性体は、酸化鉄を含むセラミックスとすることができ、酸化鉄を含むセラミックスは、フェライトとすることができる。すなわち、フェライトを含んだ部材３１ｃを渦巻き部３１ａの裏面側に設けることで、確実に裏面側から発生する磁界の磁束を弱めて表面側から発生する磁界の磁束を強くすることができる。
【００８６】
磁界発生部３０は、平面コイル３１を収納する収納部３４を有している。収納部３４は、円形のケーシング内の収納空間に平面コイル３１を収納する構成となっている。磁界発生部３０は、収納部３４の表面を介して所定の周波数を照射対象物Ｍに照射することができる。
【００８７】
収納部３４の表面より詳しくは、上面３４ａは、照射対象物Ｍを載置する載置部３５となっている。載置部３５に照射対象物Ｍを載置して照射対象物Ｍに所定の周波数の磁界を照射し照射対象物Ｍを所定の周波数の磁界に晒すことができる。つまり、載置部３５は、照射対象物Ｍに所定の周波数の磁界を照射する照射部として機能し、収納部３４の上面３４ａは、照射対象物Ｍに所定の周波数の磁界を照射する照射面として機能する。
【００８８】
載置部３５は、平坦な表面とし、平坦な表面に照射対象物Ｍを載置することができる。照射対象物Ｍが例えば液体の場合には、容器６０を介して載置部３５に載置される。収納部３４は、例えばプラスチックにより構成することができる。なお、図１１からも明らかなように、渦巻き部３１ａは、収納部３４の上面３４ａに設けられる載置部３５から見て外側から中心側に向かう電線３１´の巻き回し方向を右巻きとした螺旋構造となっている。
【００８９】
すなわち、渦巻き部３１ａは、部材３１ｃが設けられ、磁束が弱められている裏面側が収納部３４の下面３４ｂ側を向くように収納されるとともに、部材３１ｃが設けられていない表面側（裏面側に設けた部材３１ｃにより磁束が強くなる面側）が収納部３４の上面３４ａ側に向くように収納されている。
【００９０】
情報端末装置５０は、記憶部５１、入力部５２、表示部５３、生成部５４、出力部５５を有している。
【００９１】
情報端末装置５０は、コンピュータとしての一般的な構成を備えている。情報端末装置５０は、図１３に示すように、相互にバス５０Ａを介して接続された中央処理装置（ＣＰＵ、ＧＰＵ、ＤＳＰ）５０Ｂ、記憶装置（ＲＯＭ、ＲＡＭ、ハードディスク、キャッシュメモリ）５０Ｃ、入力装置（キーボード、パッチパネル、入力インターフェース、入力ポート）５０Ｄ、表示装置（液晶ディスプレー）５０Ｅ、出力装置５０Ｆ（出力インターフェース、出力ポート）等を有している。記憶装置５０Ｃは、コンピュータが読み取り可能な記憶媒体として機能する。記憶装置５０Ｃには、プログラム２００が記憶されている。プログラム２００を実行することにより、情報端末装置５０の各部５１〜５５を機能させることができる。すなわち、プログラム２００は、情報端末装置５０のコンピュータを、記憶部５１、入力部５２、表示部５３、生成部５４、出力部５５として機能させることができる。
【００９２】
記憶部５１は、所定の記録テーブル５１ａを記憶することができる。記録テーブル５１ａは、所定の疾患と、当該所定の疾患に対応した特定の極性の情報、周波数の情報、および電圧の情報（印加電圧の情報）を記録した疾患テーブルを含んでいる。また、記憶部５１は、ユーザーが、表示部５２におけるメモリーボタンを押下したときに、現在の極性情報、周波数情報、および印加電圧情報を記録テーブル５１ａに記憶させることができる。なお、上記の磁界発生装置１の本体をなす電源制御部２には、記録テーブル５１ａより詳しくは所定の疾患と、当該所定の疾患に対応した特定の極性の情報、周波数の情報、および電圧の情報（印加電圧の情報）を記録した疾患テーブルは記憶されていない。このため、電源制御部２は、軽量および／または小型化された構成とすることができ、より多くの情報処理を行うことが可能になる。
【００９３】
入力部５２は、所定の情報を入力することができる。入力部５２が入力する所定の情報は、極性制御部２３が電流の極性が所定の極性となるように制御するための極性情報、周波数制御部２４が周波数が所定の周波数となるように制御するための周波数情報、周波数が低周波数領域、中周波数領域、高周波数領域のいずれであるかを示す領域情報、および電圧制御部２５が磁界発生部３０に印加する電圧が所定の電圧値となるように制御するための印加電圧情報を含むことができる。
【００９４】
極性情報は、電流の極性を正極とするか、負極とするか、両極性とするかの情報を含むことができる。周波数情報および印加電圧情報は、例えば、疾患に対応した複数の周波数を制御するための情報および印加電圧を制御するための情報を含むことができる。
【００９５】
入力部５２は、ユーザーの所定の操作（疾患名の入力）を介して、所定の疾患に対応した極性情報、周波数情報、および印加電圧情報を記憶部５１の記録テーブル５１ａから読み出して入力することができる。
【００９６】
入力部５２は、ユーザーが、表示部５３におけるメニュー画面の「メモリー」を押下したときに、メモリーボタンを押下して記憶された極性情報、周波数情報、および印加電圧情報を記録テーブル５１ａから読み出して入力することができる。
【００９７】
入力部５２は、ユーザーが、表示部５３におけるメニュー画面の「低周波数領域」、「中周波数領域」、「高周波数領域」の各情報を示すアイコンのいずれかを押下したときに、周波数が低周波数領域、中周波数領域、高周波数領域のいずれであるかを示す領域情報を入力することができる。また、入力部５２は、ユーザーの表示部５３の所要の操作により、疾患との対応の有無によらず、単に極性情報、周波数情報、印加電圧情報を入力することもできる。
【００９８】
表示部５３は、入力部５２が入力するための所定の情報を表示することができる。表示部５３は、入力部５２が入力するための各情報を示すアイコンを含むメニュー画面を表示し、入力部５２は、ユーザーがアイコンを押下したときにアイコンに対応する各情報を所定の記憶部から読み出す等して入力することができる。所定のアイコンの押下により、メニュー画面を介して、「使い方ガイド」の他、「低周波数領域」、「中周波数領域」、「高周波数領域」、「疾患名」、「メモリー」の選択を可能にしている。また、表示部５３は、入力部５２が入力する各情報（例えば、任意の極性、周波数、印加電圧）を入力するための入力画面を表示し、入力部５２は、ユーザーが入力画面に入力した各情報（例えば、任意の極性、周波数、印加電圧）を入力することもできる。
【００９９】
生成部５４は、入力部５２により入力された情報に基づいて制御情報を生成することができる。生成部５４により生成される制御情報は、例えば、「電源１０ａをオン」、「両極性電流」、「低周波数領域」、「周波数１０Ｈｚ」、「電圧１０Ｖ」の如くである。
【０１００】
出力部５５は、生成部５４により生成された制御情報を磁界発生装置１の入力部２１に無線または有線の通信を通じて出力することができる。出力部５５は、例えば、ブルートゥース（登録商標）等の近距離無線方式により磁界発生装置１と通信することができる。出力部５５は、磁界発生装置１の入力部２１と通信を行うことができる通信部として機能する。
【０１０１】
次に上記の如く構成された磁界発生装置１による磁界発生方法を図１４のフローチャートに基づいて詳細に説明する。
【０１０２】
まず、ステップＳ１において、収納部３４における載置部３５に照射対象物Ｍを載置する。
【０１０３】
次に、ステップＳ２において、情報端末装置５０の入力部５２が、ユーザーの所要の操作（例えば疾患名の入力）を介して極性制御部２３が電流の極性が所定の極性となるように制御するための極性情報、および周波数制御部２４が周波数が所定の周波数となるように制御するための周波数情報、電圧制御部２５が磁界発生部３０に印加する電圧が所定の電圧値となるように制御するための印加電圧情報を記憶部５１（記録テーブル５１ａ）から読み出す等して入力する。また、情報端末装置５０の入力部５２が、ユーザーの所要の操作を介して周波数が低周波数領域、中周波数領域、高周波数領域のいずれであるかを示す領域情報を入力する。ユーザーの操作は表示部５３を介して行うことができる。
【０１０４】
次いで、ステップＳ３において、生成部５４が、ステップＳ２で入力された情報に基づいて制御情報を生成する。
【０１０５】
続いて、ステップＳ４において、出力部５５が、ステップＳ３で生成された制御情報を磁界発生装置１の入力部２１に出力する。
【０１０６】
次に、ステップＳ５において、磁界発生装置１の入力部２１が、ステップＳ４で出力された制御情報を入力する。
【０１０７】
次いで、ステップＳ６において、極性制御部２３、周波数制御部２４、電圧制御部２５が、ステップＳ５で入力された制御情報に基づいて、電流の極性が所定の極性となるように制御するための制御信号、周波数が所定の周波数となるように制御するための制御信号、磁界発生部３０に印加する電圧（周波数の強度）が所定の電圧値（所定の周波数の強度）となるように制御するための制御信号をそれぞれ生成して出力し、電流の極性の制御、周波数の制御、電圧の制御を行う。なお、電圧制御部２５による印加電圧の制御は低周波数領域においてのみ行うことができる。
【０１０８】
以上説明したように、本実施形態の磁界発生装置１は、所定の周波数の磁界を発生する磁界発生部３０を有することとしたので、より詳しくは、電源１０ａを有する電源部１０と、電源部１０を制御する制御部２０と、電源部１０から電流が供給されたときに所定の周波数の磁界を発生させる磁界発生部３０と、を有することとしたので、所定の周波数の磁界を発生させることができる。
【０１０９】
すなわち、例えば、上記の磁界発生装置１により発生した周波数の磁界を水に照射し、その水（波動水または磁化水、情報水）を人が摂取したときには、水が所定の周波数の磁界に晒されているため、各種の疾患の治療や予防に繋がることが期待される（照射対象物Ｍが固体や液体とした場合にもその個体や液体を人が摂取したときには、前記固体や液体が所定の周波数の磁界に晒されているため、同様に各種の疾患の治療や予防に繋がることが期待される）。
【０１１０】
また、電源部１０は、抵抗１６を有し、抵抗１６の抵抗値は、２〜１５ｋΩより好ましくは５〜１０ｋΩとすることとしたので、人体と同程度の抵抗値に設定することができる。
【０１１１】
更に、制御部２０は、電流の極性を制御する極性制御部２３と、電流の周波数を制御する周波数制御部２４と、を有することとしたので、電流の極性の制御、および電流の周波数の制御を行うことができる。
【０１１２】
更に、磁界発生部３０に印加する電圧を制御する電圧制御部２５を有することとしたので、磁界発生部３０における周波数の強度を制御することができる。
【０１１３】
更にまた、磁界発生部３０の渦巻き部３１は、外側から中心に向かう電線３１´の巻き回し方向を右巻きとすることとしたので、電線１１´の巻き回し方向を、生体エネルギーを引き出す方向とすることができる。
【０１１４】
また更に、磁界発生部３０の収納部３４の表面は、照射対象物Ｍを載置する載置部３５を有し、載置部３５に照射対象物Ｍを載置して照射対象物Ｍに所定の周波数の磁界を照射することとしたので、照射対象物Ｍを載置しながら所定の周波数の磁界を照射することができる。
【０１１５】
載置部３５は、平坦な表面とし、平坦な表面に照射対象物Ｍを載置することとしたので、照射対象物Ｍを安定して載置することができる。
【０１１６】
また、情報端末装置５０から制御部２０が電源部１０の制御を行うための所定の制御情報を入力する入力部２１を有することとしたので、情報端末装置５０からの制御情報により電源部１０の制御を行うことができる。
【０１１７】
更に、情報端末装置５０の入力部５２が入力する所定の情報は、極性制御部２３が電流の極性を制御するための情報、周波数制御部２４が周波数を制御するための情報、電圧制御部２５が磁界発生部３０に印加する電圧を制御するための情報を含むこととしたので、情報端末装置５０からの制御情報により電流の極性の制御、周波数の制御、電圧の制御を行うことができる。
【０１１８】
更にまた、所定の疾患と、当該所定の疾患に対応した特定の極性の情報、周波数の情報、および電圧の情報（印加電圧の情報）を記録した疾患テーブルに基づいて、極性制御、周波数制御、および電圧制御を行うこととしたので、例えば、磁界発生装置１により磁界を照射した水を人が飲用することにより更に一層各種の疾患の治療や予防に繋がる。
【０１１９】
なお、本発明は上述した実施形態に限定されることなく特許請求の範囲を逸脱しない範囲内において種々の変形実施、応用実施が可能であることは勿論である。
【０１２０】
すなわち、例えば、上述した実施形態にあっては、周波数制御部２４は、正極のパルス電流を繰り返して生成する制御である第１の周波数制御、負極のパルス電流を繰り返して生成する制御である第２の周波数制御、および正極のパルス電流および負極のパルス電流を交互に繰り返して両極性のパルス電流を生成する制御である第３の周波数制御の全てを行うこととしているが、いずれかのみを行うこととしても所要の効果を奏する。
【０１２１】
つまり、周波数制御部２４は、正極のパルス電流を繰り返して生成する制御である第１の周波数制御、負極のパルス電流を繰り返して生成する制御である第２の周波数制御、正極のパルス電流および負極のパルス電流を交互に繰り返して両極性のパルス電流を生成する制御である第３の周波数制御の少なくともいずれかを行うこととしても所要の効果を奏する。
【０１２２】
ただし、正極のパルス電流および負極のパルス電流を交互に繰り返して反転させながら両極性のパルス電流を生成する制御である第３の周波数制御とした場合には、磁界発生部３０において発生する磁界の方向が反転するように変化するので、例えば照射対象物Ｍを水とした場合には、水を発振周波数に共振、共鳴させつつ、磁気にも晒されるため磁気処理水の性質も併せ持つ水を提供することが可能となり、より好ましい。
【０１２３】
また、周波数制御部２４は、第１の極性制御において、第３のスイッチ１３ａおよび第４のスイッチ１４ａをオフとした状態で、所定の時間間隔で極性制御部２３が第１のスイッチ１１ａおよび第２のスイッチ１２ａのいずれもオンオフを繰り返し行うように制御して正極のパルス電流を繰り返して生成する制御を行うこととしているが、第３のスイッチ１３ａおよび第４のスイッチ１４ａをオフとした状態で、かつ、第１のスイッチ１１ａおよび第２のスイッチ１２ａのいずれか一方をオンとしたまま、所定の時間間隔で極性制御部２３が第１のスイッチ１１ａおよび第２のスイッチ１２ａのいずれか他方のオンオフを繰り返し行うように制御することとしても所要の効果を奏する。
【０１２４】
すなわち、周波数制御部２４は、第１の極性制御において、第３のスイッチ１３ａおよび第４のスイッチ１４ａをオフとした状態で、所定の時間間隔で極性制御部２３が第１のスイッチ１１ａおよび第２のスイッチ１２ａの少なくともいずれか一方のオンオフを繰り返し行うように制御して正極のパルス電流を繰り返して生成する制御を行うこととしても所要の効果を奏する。
【０１２５】
また、周波数制御部２４は、第２の極性制御において、第１のスイッチ１１ａおよび第２のスイッチ１２ａをオフとした状態で、所定の時間間隔で極性制御部２３が第３のスイッチ１３ａおよび第４のスイッチ１４ａのいずれもオンオフを繰り返し行うように制御して負極のパルス電流を繰り返して生成する制御を行うこととしているが、第１のスイッチ１１ａおよび第２のスイッチ１２ａをオフとした状態で、かつ、第３のスイッチ１３ａおよび第４のスイッチ１４ａのいずれか一方をオンとしたまま、所定の時間間隔で極性制御部２３が第３のスイッチ１３ａおよび第４のスイッチ１４ａのいずれか他方のオンオフを繰り返し行うように制御して負極のパルス電流を繰り返して生成する制御を行うこととしても所要の効果を奏する。
【０１２６】
すなわち、周波数制御部２４は、第２の極性制御において、第１のスイッチ１１ａおよび第２のスイッチ１２ａをオフとした状態で、所定の時間間隔で極性制御部２３が第３のスイッチ１３ａおよび第４のスイッチ１４ａの少なくともいずれか一方のオンオフを繰り返し行うように制御して負極のパルス電流を繰り返して生成する制御を行うこととしても所要の効果を奏する。
【０１２７】
更に、上述した実施形態にあっては、収納部３４の上面３４ａを照射対象物Ｍを載置する載置部３５とすることとしているが、収納部３４の下面３４ｂも照射対象物Ｍを載置する載置部３５ｂとすることとして上面３４ａおよび下面３４ｂのいずれも載置部３５，３５ｂとすることとしてもよい。この場合にあっては、渦巻き部３１ａは、収納部３４の下面３４ｂに設けられる載置部３５ｂから見て外側から中心側に向かう電線３１´の巻き回し方向を左巻きとした螺旋構造となる。本変形例にあっては、図１５に示すように、収納部３４の上面３４ａ側および下面３４ｂ側を識別するための識別情報（文字情報、記号情報、色等）を上面３４ａ側および下面３４ｂ側に付して識別することができる。
【０１２８】
更にまた、上述した実施形態にあっては、渦巻き部３１ａの裏面側（下面側）に、裏面側から発生する磁界の磁束を弱めて表面側（上面側）から発生する磁界の磁束を強くするための部材３１ｃを設けることとしているが、渦巻き部３１ａの表面側（上面側）に、表面側から発生する磁界の磁束を弱めて表面側（下面側）から発生する磁界の磁束を強くするための部材３１ｃを設けることとしても所要の効果を奏する。
【０１２９】
すなわち、渦巻き部３１ａは、表面側および裏面側の面を有し、表面側および裏面側のいずれかの一方の面にいずれかの一方の面から発生する磁界の磁束を弱めて表面側および裏面側のいずれか他方の面から発生する磁界の磁束を強くするための部材３１ｃを設けることができる。
【０１３０】
また更に、上述した実施形態の渦巻き部３１ａに代えて図１６に示す変形例の渦巻き部１３１ａを用いることとしてもよい。
【０１３１】
すなわち、図１６に示す変形例の渦巻き部１３１ａは、スカラー波を発生させることができる。
【０１３２】
この渦巻き部１３１ａは、第１の巻き回し部１３１ａ１および第２の巻き回し部１３１ａ２を有している。第１の巻き回し部１３１ａ１は、電線３１´を外側から中心側に向かって渦巻き状に巻き回して構成され、第２の巻き回し部１３１ａ２は、電線３１´を第１の巻き回し部１３１ａ１の中心側の端部から外側に向かって渦巻き状に巻き回して構成されている。第１の巻き回し部１３１ａ１と第２の巻き回し部１３１ａ２は、電流が流れる向きが相互に反対向きとなっている。
【０１３３】
より詳しくは、第１の巻き回し部１３１ａ１は、電線３１´を外側から中心側に向かって所定の間隔ｄをおいて巻き回し状に巻き回して構成されている。第２の巻き回し部１３１ａ２は、第１の巻き回し部１３１ａ１の中心側の端部１３１ａ１´と連続し、電線３１´を第１の巻き回し部１３１ａ１の中心側の端部１３１ａ１´から外側に向かって第１の巻き回し部１３１ａの間隔ｄ内において渦巻き状に巻き回して構成されている。
【０１３４】
このような巻き回し部１３１ａを用いることで、第１の巻き回し部１３１ａ１と第２の巻き回し部１３１ａ２の相互間において流れる電流の向きが相互に反対向きになるため、第１の巻き回し部１３１ａ１と第２の巻き回し部１３１ａ２の相互間で一の電流の流れにおいて発生する磁界の向きを反対向きとすることができる。これにより、「０磁場」環境を実現しスカラー波を発生させることができる。なお、第１の巻き回し部１３１ａ１における第１の接続１３２は第１の電線１１と電気的に接続し、第２の接続１３３は第２の電線１２と電気的に接続する。
【０１３５】
また、追加の実施手段として、所定の周波数領域におけるスイープ機能、所望の終了時刻を設定できるタイマー機能などを設けてもよい。これら機能は、公知のプログラム構成により、情報端末装置５０の画面上に入力ボックスやボタンおよび／またはバー等を表示することで追加することができる。
【０１３６】
更に、上述した実施形態の磁界発生装置１（磁界発生装置１の磁界発生部３０は、巻き回し部３１ａまたは変形例の巻き回し部１３１ａを含む）により磁界に晒して生産された水を用いて加湿することができる加湿器や加湿方法を提供することとしてもよい。このような加湿器や加湿方法を提供することで本発明の磁界に晒された水を周囲の環境に拡散させることができる。
【０１３７】
なお、加湿器１４０は、図１７に模式的に示すように、水を霧化する霧化部１４１と、霧化部１４１により霧状となった水を外部に放出する放出口を有する放出部１４２と、を有しており、スチーム式、気化式、超音波式等の方式がある。スチーム式は、霧化部１４１に加熱器を備えて、水を蒸発させて水（波動水または磁化水、情報水）を霧状とし湿度の高い空気を放出部１４２を介して周囲の環境に放出する方式である。気化式は、霧化部１４１にフィルタとファンを備え、水を含んだフィルタにファンを介して空気を送り水（波動水）を霧状として放出部１４２を介して湿度の高い空気を放出する方式である。超音波式は、霧化部１４１に超音波発生器を備え、超音波により水（波動水）を霧状にした水を放出部１４２を介して放出する方式である。超音波式は、水に晒された磁界の効果と相まって特に好ましい実施形態となる。
【符号の説明】
【０１３８】
Ｍ：照射対象物
Ａ：第１の接続点
Ｂ：第２の接続点
Ｃ：第３の接続点
Ｄ：第４の接続点
ｄ：間隔
１：磁界発生装置
１Ａ：磁界発生システム
２：電源制御部
２´：ケーブル
１０：電源部
１０Ａ１：第１の電路
１０Ａ２：第２の電路
１０ａ：電源
１０ａ１：出力側
１０ａ２：入力側
１０ｂ：電源スイッチ
１１：第１の電線
１１ａ：第１のスイッチ
１２：第２の電線
１２ａ：第２のスイッチ
１３：第３の電線
１３ａ：第３のスイッチ
１４：第４の電線
１４ａ：第４のスイッチ
１６：抵抗
２０：制御部
２０Ａ：バス
２０Ｂ：中央処理装置
２０Ｃ：記憶装置
２０Ｄ：入力装置
２０Ｅ：表示装置
２１：記憶部
２２：入力部
２４：極性制御部
２５：周波数制御部
３０：磁界発生部
３１：コイル（平面コイル）
３１´：電線
３１ａ：渦巻き部
３１ｂ：領域
３１ｃ：部材
３２：第１の接続
３３：第２の接続
３４：収納部
３４ａ：上面
３４ｂ：下面
３５：載置部
３５ｂ：載置部
５０：情報端末装置
５０Ａ：バス
５０Ｂ：中央処理装置
５０Ｃ：記憶装置
５０Ｄ：入力装置
５０Ｅ：表示装置
５１：入力部
５２：表示部
５３：生成部
５４：出力部
６０：容器
１００：プログラム
１３１ａ：渦巻き部
１３１ａ１：第１の渦巻き部
１３１ａ２：第２の渦巻き部
１４０：加湿器
１４１：霧化部
１４２：放出部
２００：プログラム
【要約】
【課題】所定の周波数の磁界を発生させることができる磁界発生装置、磁界発生システム、照射対象物の生産方法、照射対象物、液体、水、加湿器、加湿方法、プログラム、コンピュータが読み取り可能な記憶媒体を提供する。
【解決手段】本発明の磁界発生装置は、所定の周波数で磁界を発生させる磁界発生装置３０であって、所定の電源１０ａを有する電源部１０と、電源部１０を制御する制御部２０と、電源部１０から電流が供給されたときに所定の周波数の磁界を発生させる磁界発生部３０と、を有し、所定の周波数の磁界を発生させることができる。
【選択図】図１【図１】
0006872659.tif 000002
【図２】
0006872659.tif 000003
【図３】
0006872659.tif 000004
【図４】
0006872659.tif 000005
【図５】
0006872659.tif 000006
【図６】
0006872659.tif 000007
【図７】
0006872659.tif 000008
【図８】
0006872659.tif 000009
【図９】
0006872659.tif 000010
【図１０】
0006872659.tif 000011
【図１１】
0006872659.tif 000012
【図１２】
0006872659.tif 000013
【図１３】
0006872659.tif 000014
【図１４】
0006872659.tif 000015
【図１５】
0006872659.tif 000016
【図１６】
0006872659.tif 000017
【図１７】
0006872659.tif 000018